(57)【要約】【課題】乗用装置の利便性を向上させる。【解決手段】乗用装置の外の像を撮像し、前記像を示す映像信号を出力する撮像部と、前記撮像部から前記映像信号を受信し、受信した前記映像信号に基づいたデジタル映像信号を出力する映像信号処理部と、前記デジタル映像信号を前記映像信号処理部から乗用装置内伝送路を経由して受信する中央信号処理部と、前記デジタル映像信号を前記映像信号処理部から受信し、受信した前記デジタル映像信号から表示用信号を生成し出力する表示制御部と、前記表示制御部から受信した前記表示用信号が示す画像を表示する表示部と、を備える撮像表示システムを構成する。【選択図】図１
2018129602.tif 000002
【特許請求の範囲】
【請求項１】
乗用装置の外の像を撮像し、前記像を示す映像信号を出力する撮像部と、
前記撮像部から前記映像信号を受信し、受信した前記映像信号に基づいたデジタル映像信号を出力する映像信号処理部と、
前記デジタル映像信号を前記映像信号処理部から乗用装置内伝送路を経由して受信する中央信号処理部と、
前記デジタル映像信号を前記映像信号処理部から受信し、受信した前記デジタル映像信号から表示用信号を生成し出力する表示制御部と、
前記表示制御部から受信した前記表示用信号が示す画像を表示する表示部と、
を備える撮像表示システム。
【請求項２】
前記映像信号処理部が出力する前記デジタル映像信号は、前記表示制御部に送信される第一デジタル映像信号と、前記中央信号処理部に送信される第二デジタル映像信号とを含み、
前記第一デジタル映像信号と前記第二デジタル映像信号とは異なる、
請求項１に記載の撮像表示システム。
【請求項３】
前記第一デジタル映像信号が示す前記像の範囲は、前記第二デジタル映像信号が示す前記像の範囲と一部が異なる、
請求項２に記載の撮像表示システム。
【請求項４】
前記映像信号処理部は、前記映像信号を前記撮像部から前記乗用装置内伝送路を経由せずに受信する、
請求項１から請求項３のいずれか一項に記載の撮像表示システム。
【請求項５】
前記表示制御部は、前記デジタル映像信号を前記映像信号処理部から前記乗用装置内伝送路を経由せずに受信する、
請求項１から請求項４のいずれか一項に記載の撮像表示システム。
【請求項６】
前記表示部は、前記表示用信号を前記表示制御部から前記乗用装置内伝送路を経由せずに受信する、
請求項１から請求項５のいずれか一項に記載の撮像表示システム。
【請求項７】
前記中央信号処理部は、前記映像信号処理部から受信した前記デジタル映像信号に関連する第三デジタル映像信号を生成して前記乗用装置内伝送路経由で前記表示制御部に出力し、
前記表示制御部は、前記映像信号処理部から受信した前記デジタル映像信号と前記第三デジタル映像信号とに基づいて前記表示用信号を生成し前記表示部に出力する、
請求項１から請求項６のいずれか一項に記載の撮像表示システム。
【請求項８】
前記表示制御部は、前記映像信号処理部から受信した前記デジタル映像信号に前記第三デジタル映像信号を重畳して前記表示用信号を生成する、
請求項７に記載の撮像表示システム。
【請求項９】
前記映像信号処理部と前記表示制御部と前記表示部とは一体に構成され、前記映像信号処理部と前記中央信号処理部とは前記乗用装置内伝送路を構成するケーブルで接続されている、
請求項１〜請求項８のいずれか一項に記載の撮像表示システム。
【請求項１０】
前記映像信号処理部と前記表示制御部と前記表示部の各部間の距離は、前記映像信号処理部と前記表示制御部と前記表示部の各部と前記中央信号処理部との距離よりも短い、
請求項１〜請求項９のいずれか一項に記載の撮像表示システム。
【請求項１１】
少なくとも前記撮像部と前記映像信号処理部とを有する撮像装置部を複数備え、
前記中央信号処理部は、複数の前記撮像装置部の前記映像信号処理部からそれぞれ出力された前記デジタル映像信号を前記乗用装置内伝送路経由で受信し、受信した複数の前記デジタル映像信号に関連する関連信号を生成し、前記関連信号を前記乗用装置内伝送路経由で出力する、
請求項１〜請求項１０のいずれか一項に記載の撮像表示システム。
【請求項１２】
請求項１〜１１のいずれか一項に記載の撮像表示システムを搭載した乗用装置。
【発明の詳細な説明】
【技術分野】
【０００１】
本発明は、撮像表示システム、乗用装置に関する。
【背景技術】
【０００２】
従来、車両に設けられてきたミラーに変わって、車外を撮像した画像を表示部に表示する構成を備えた所謂ミラーレスカーが知られている。ミラーレスカーにおいて、撮像から表示までに要する時間である表示遅延はなるべく短いことが望ましい。特許文献１には複数の撮像装置で車外を撮影し一つの表示部の別の領域にそれぞれ撮影した画像を表示する構成において表示遅延を短くする技術が記載されている。特許文献２には、複数の撮像装置で撮影した画像を用いて生成したトップビュー画像を一つの表示部に表示することが記載されている。
【先行技術文献】
【特許文献】
【０００３】
【特許文献１】特開２０１６−４０９０４号公報
【特許文献２】特開２００７−１２９２９０号公報
【発明の概要】
【発明が解決しようとする課題】
【０００４】
複数の撮像装置で撮像した画像を表示遅延が可能な限り短い状態で各撮像装置に対応する表示部に表示したり、複数の撮像装置で撮像した画像を用いた高度な処理を実施したりすることができれば、乗用装置の利便性はさらに向上する。
本発明は、乗用装置の利便性を向上させることを目的とする。
【課題を解決するための手段】
【０００５】
上記目的を達成するための撮像表示システムは、乗用装置の外の像を撮像し、像を示す映像信号を出力する撮像部と、撮像部から映像信号を受信し、受信した映像信号に基づいたデジタル映像信号を出力する映像信号処理部と、デジタル映像信号を映像信号処理部から乗用装置内伝送路を経由して受信する中央信号処理部と、デジタル映像信号を映像信号処理部から受信し、受信したデジタル映像信号から表示用信号を生成し出力する表示制御部と、表示制御部から受信した表示用信号が示す画像を表示する表示部と、を備える。
この構成によれば、撮像された画像を単に表示部に表示する以外に、撮像した画像を中央信号処理部に送信することができる。そのため、送信された画像を用いた画像認識処理などの高度な処理を中央信号処理部に実行させることができる。したがって本構成の映像信号処理部および表示制御部は、撮像から表示までの表示遅延を、画像認識処理等の高負荷な処理の影響で長期化することなく表示部に画像を表示させることが可能である。
【０００６】
上記目的を達成するための撮像表示システムにおいて、映像信号処理部が出力するデジタル映像信号は、表示制御部に送信される第一デジタル映像信号と、中央信号処理部に送信される第二デジタル映像信号とを含み、第一デジタル映像信号と第二デジタル映像信号とは異なる構成であってもよい。
この構成によれば、表示制御部は第一デジタル信号を用いて表示制御処理を行うことができ、中央信号処理部は第二デジタル信号を用いて既定の信号処理を行うことができる。
【０００７】
上記目的を達成するための撮像表示システムにおいて、第一デジタル映像信号が示す像の範囲は、第二デジタル映像信号が示す像の範囲と一部が異なる構成であってもよい。
この構成によれば、映像信号処理部は表示制御部には表示部に表示する画角に相当する画像を送信し、中央信号処理部には表示部に表示する画角と一部異なる画角の画像を送信することができる。その結果、中央信号処理部は当該画像を用いて処理を行うことができる。
【０００８】
上記目的を達成するための撮像表示システムにおいて、映像信号処理部は、映像信号を撮像部から乗用装置内伝送路を経由せずに受信する構成であってもよい。
この構成によれば、撮像部から映像信号処理部への映像信号の伝送は、乗用装置内伝送路を経由しないため、経由する場合と比較すると撮像から表示までに要する時間である表示遅延を低減できる。
【０００９】
上記目的を達成するための撮像表示システムにおいて、表示制御部は、デジタル映像信号を映像信号処理部から乗用装置内伝送路を経由せずに受信する構成であってもよい。
この構成によれば、映像信号処理部から表示制御部へのデジタル映像信号の伝送は、乗用装置内伝送路を経由しないため、経由する場合と比較すると撮像から表示までの時間である表示遅延を低減できる。
【００１０】
上記目的を達成するための撮像表示システムにおいて、表示部は、表示用信号を表示制御部から乗用装置内伝送路を経由せずに受信する構成であってもよい。
この構成によれば、表示制御部から表示部への表示用信号の伝送は、乗用装置内伝送路を経由しないため、経由する場合と比較すると撮像から表示までに要する時間である表示遅延を低減できる。
【００１１】
上記目的を達成するための撮像表示システムにおいて、中央信号処理部は、映像信号処理部から受信したデジタル映像信号に関連する第三デジタル映像信号を生成して乗用装置内伝送路経由で表示制御部に出力し、表示制御部は、映像信号処理部から受信したデジタル映像信号と第三デジタル映像信号とに基づいて表示用信号を生成し表示部に出力する構成であってもよい。
この構成によれば、表示制御部は、中央信号処理部の処理の結果生成された第三デジタル映像信号に基づく表示用信号を表示部に表示させることができる。
【００１２】
上記目的を達成するための撮像表示システムにおいて、表示制御部は、映像信号処理部から受信したデジタル映像信号に第三デジタル映像信号を重畳して表示用信号を生成する構成であってもよい。
この構成によれば、表示制御部は、中央信号処理部の処理の結果生成された第三デジタル映像信号を表示部に表示させることができる。
【００１３】
上記目的を達成するための撮像表示システムにおいて、映像信号処理部と表示制御部と表示部とは一体に構成され、映像信号処理部と中央信号処理部とは乗用装置内伝送路を構成するケーブルで接続されていてもよい。
この構成によれば、映像信号処理部・表示制御部・表示部の各部間の伝送路の長さによる伝送遅延を生じにくくすることができる。
【００１４】
上記目的を達成するための撮像表示システムにおいて、映像信号処理部と表示制御部と表示部の各部間の距離は、映像信号処理部と表示制御部と表示部の各部と中央信号処理部との距離よりも短い構成であってもよい。
この構成によれば、映像信号処理部・表示制御部・表示部の各部は互いに近くに配置されているため、各部間の伝送路の長さによる伝送遅延を生じにくくすることができる。
【００１５】
上記目的を達成するための撮像表示システムは、少なくとも撮像部と映像信号処理部とを有する撮像装置部を複数備えてもよい。その場合に、中央信号処理部は、複数の撮像装置部の映像信号処理部からそれぞれ出力されたデジタル映像信号を乗用装置内伝送路経由で受信し、受信した複数のデジタル映像信号に関連する関連信号を生成し、関連信号を乗用装置内伝送路経由で出力する構成であってもよい。
この構成によれば、複数のデジタル映像信号を用いて様々な処理を行うための関連信号を生成し出力することができる。
【００１６】
上記目的を達成するための乗用装置は、上記した少なくともいずれかの撮像表示システムを備えている。この構成によれば、撮像部で撮像した画像を表示遅延を長期化させることなく表示部に表示することができる。また、撮像部で撮像した画像を用いた画像認識処理などの高度な処理を実施することもできる。そのため、利便性の高い乗用装置を提供することができる。
【図面の簡単な説明】
【００１７】
【図１】撮像表示システムの構成を示すブロック図。
【図２】撮像表示システムを搭載する自動車を示す模式図。
【図３】第一デジタル映像信号と第二デジタル映像信号を示す模式図。
【図４】デジタルミラーユニットの配置を示す模式図。
【図５】映像信号処理を示すフローチャート。
【図６】中央信号処理を示すフローチャート。
【図７】表示制御処理を示すフローチャート。
【図８】アラート画像の重畳表示例を示す図。
【発明を実施するための形態】
【００１８】
以下、本発明の実施の形態を添付図面を参照しながら説明する。尚、各図において対応する構成要素には同一の符号が付され、重複する説明は省略される。
１．第一実施形態：
１−１．撮像表示システムの構成：
図１は、第一実施形態における撮像表示システム１の概略構成を示すブロック図である。撮像表示システム１は、運転者が乗用装置としての自動車を運転する際に、運転を補助するための画像を表示するシステムであり、当該自動車に搭載されている。図２は、撮像表示システム１を搭載する自動車ＡＭ１を示す模式図である。
【００１９】
図１に示すように、撮像表示システム１は、左撮像表示部Ｌと中央信号処理部Ｃ１０と右撮像表示部Ｒを備えている。左撮像表示部Ｌ、中央信号処理部Ｃ１０、右撮像表示部Ｒは、それぞれバスＢに接続されており、各部間の信号の授受はバスＢを介して行われる。バスＢは、本実施形態における乗用装置内伝送路に相当する。バスＢを介した通信は、例えばＣＡＮ（Controller Area Network）やEthernet AVB等の車載ネットワークのプロトコルに従って行われる。本実施形態においては、バスＢには後述する運転支援制御部（不図示）も接続されている。バスＢにはその他にも様々な機能を有する制御部（ＥＣＵ（Electronic Control Unit））が接続されていてもよい。バスＢには、当該バスＢに接続されている複数のＥＣＵ間で授受される様々な信号が様々なタイミングで伝送される。そのため、例えば複数のＥＣＵから同時に信号が送出された場合、予め設定された優先度が高いＥＣＵから順に送信権を付与する等の調停がなされる。したがってバスＢに接続されているＥＣＵにおいては、信号の送信準備が整ってから実際に送信を開始できるまで待機時間が生じる可能性がある。
【００２０】
左撮像表示部Ｌおよび右撮像表示部Ｒはそれぞれ、撮像部１０と映像信号処理部２０と表示制御部３０と表示部４０と通信部５０を備えている。左撮像表示部Ｌおよび右撮像表示部Ｒがそれぞれ備える撮像部１０と映像信号処理部と表示制御部３０と表示部４０と通信部５０は同一の構成である。本実施形態においては、撮像部１０から映像信号処理部２０、映像信号処理部２０から表示制御部３０、表示制御部３０から表示部４０への各信号の伝送は、バスＢとは異なる専用の伝送路によって行われる。専用の伝送路は、既定の電子部品間（本実施形態においては１対１の電子部品間）で信号の伝送が行われる。そのため、上述のような衝突回避のための待機時間が生じることがない。
【００２１】
１−２．撮像部：
撮像部１０は、自動車ＡＭ１の外の像を撮像し、当該像を示す映像信号を出力するため、光学系１１とセンサー１２を備える。光学系は、被写体の像を結像させるレンズ、絞り、シャッター、赤外カットフィルターを備える。センサー１２（エリアイメージセンサー）としては、ベイヤー配列されたカラーフィルターと、光量に応じた電荷を光電変換によって画素ごとに蓄積する複数のフォトダイオードとを備えるＣＭＯＳ（Complementary Metal Oxide Semiconductor）イメージセンサー、ＣＣＤ（Charge Coupled Device）イメージセンサー等の固体撮像素子が用いられる。
【００２２】
センサー１２の画素の位置は直交座標系における座標で規定され、一方の座標軸に平行な方向に並ぶ複数の画素によってラインが構成され、複数のラインが他方の座標軸に平行な方向に並ぶように構成されている。本明細書では、ラインに平行な方向を水平方向、ラインに垂直な方向を垂直方向と呼ぶ。センサー１２の全画素によって構成される１画面を１フレームと呼ぶ。
【００２３】
１−３．映像信号処理部：
映像信号処理部２０は、撮像部１０のセンサー１２から出力された映像信号をバスＢではない専用の伝送路を経由して受信し、当該映像信号に基づいた第一デジタル映像信号を生成し、バスＢではない専用の伝送路を経由して表示制御部３０に出力する。また、映像信号処理部２０は、当該映像信号に基づいた第二デジタル映像信号を生成し、バスＢを経由して中央信号処理部Ｃ１０に出力する。そのために映像信号処理部２０は、画素補間部２１、色再現処理部２２、フィルター処理部２３、ガンマ補正部２４、歪曲収差補正部２５、出力部２６、トリミング処理部２７を備えている。映像信号処理部２０は、予め確保された複数ライン分の図示しないラインバッファーを適宜利用しながらパイプライン処理によって各工程における処理を実施する。
【００２４】
センサー１２から出力された映像信号は図示しない第一ラインバッファーに一時記録される。画素補間部２１は第一ラインバッファーからベイヤー配列において各画素で欠落している２チャネルの色を生成するために必要な画素数のデータを取り込みながら補間処理によって当該２チャネルの色を生成する。この結果、各画素において３チャネルのデータが生成される。次に、色再現処理部２２は、生成されたデータに基づいて３×３の行列演算を行うことによって色を再現するための色変換処理を行う。色変換処理によって生成されたデータは図示しない第二ラインバッファーに一時記録される。
【００２５】
次に、フィルター処理部２３は、シャープネス調整やノイズ除去処理等をフィルター処理によって実行する。次にガンマ補正部２４はセンサー１２の出力データの階調値が示す色と表示部４０で扱うデータの階調値が示す色との特性差を補償するガンマ補正を実行する。ガンマ補正によって生成されたデータは図示しない第三ラインバッファーに一時記録される。歪曲収差補正部２５は、第三ラインバッファーに記録されたデータに対して光学系１１のレンズの特性に起因する歪曲収差の補正処理を実行し、図示しない第四ラインバッファーに一時記録する。トリミング処理部２７は、第四ラインバッファーに記録されたデータに基づいてトリミング処理を行い、トリミング処理後のデータを表示制御部３０に出力する。表示制御部３０に出力されるデータが第一デジタル映像信号に相当する。
【００２６】
出力部２６は、第四ラインバッファーに線順次で記録されていく歪曲収差補正部２５の処理後のデータであってトリミング処理部２７によってトリミングされる前のデータを、通信部５０によって中央信号処理部Ｃ１０に送信させる。通信部５０は、バスＢに接続されている他の電子部品とバスＢを介して通信するためのインターフェース回路を備える。第四ラインバッファーに記録されている歪曲収差補正処理後であってトリミング処理前のデータは、出力部２６および通信部５０によってバスＢを介した通信に適した形式に変換された状態でバスＢに送出される。例えば、第四ラインバッファーに記録されているデータは圧縮され、バスＢを介した通信のプロトコルに従った形式のパケットに変換される。当該変換された状態のデータが第二デジタル映像信号に相当する。中央信号処理部Ｃ１０に送信される第二デジタル映像信号が示す像は、表示制御部３０に送信される第一デジタル映像信号が示す像を含み第一デジタル映像信号よりも広い範囲に対応する。
【００２７】
表示制御部３０は、リサイズ処理部３１、取得部３２、アラート画像重畳部３３、出力部３４を備えている。トリミング処理部２７から出力されたデータは図示しない第五ラインバッファーに一時記録される。リサイズ処理部３１は、第五ラインバッファーに記録されたデータ（第一デジタル映像信号）に基づいて表示部４０の液晶パネル４２のサイズに合わせて縮小処理を行う。リサイズ処理部３１による縮小処理の結果生成されたデータは図示しない第六ラインバッファーに線順次で一時記録される。
【００２８】
通信部５０は、中央信号処理部Ｃ１０からバスＢを経由してアラート画像（第三デジタル映像信号）を含むデータを受信する。通信部５０および取得部３２は、受信したデータからアラートフラグを取得する。左撮像表示部Ｌが取得したアラートフラグは、中央信号処理部Ｃ１０による処理の結果、左撮像表示部Ｌの表示部４０にアラート画像を表示する必要があるか否かを示すフラグである。右撮像表示部Ｒが取得したアラートフラグは、中央信号処理部Ｃ１０による処理の結果、右撮像表示部Ｒの表示部４０にアラート画像を表示する必要があるか否かを示すフラグである。アラートフラグは、アラート画像を表示する必要がある場合はオンに設定され、必要がない場合はオフに設定されている。また、通信部５０および取得部３２は、アラートフラグがオンの場合に、受信したデータからアラート画像を取得し（圧縮データの伸長処理を含む）、図示しないフレームバッファーに一時記録する。アラートフラグはフレーム単位で定期的に中央信号処理部Ｃ１０から送信される。アラート画像はアラートフラグがオンの場合にアラートフラグと同期して中央信号処理部Ｃ１０から送信される。
【００２９】
アラート画像重畳部３３は、中央信号処理部Ｃ１０からオンが設定されたアラートフラグを取得するとアラート画像重畳部３３におけるアラート状態をオンに更新する。また、アラート画像重畳部３３は中央信号処理部Ｃ１０からオフが設定されたアラートフラグを取得するとアラート状態をオフに更新する。アラート状態がオンである場合、アラート画像重畳部３３は、リサイズ処理部３１によって生成され第六ラインバッファーに一時記録されている１ライン分のデータにフレームバッファーに記録されたアラート画像における当該ラインのデータを重畳し、図示しない第七ラインバッファーに一時記録する。なお、アラート画像重畳部３３は、アラート状態がオフの場合は、第六ラインバッファーに記録されているリサイズ処理部３１による処理後のデータを、アラート画像を重畳することなく第七ラインバッファーに出力する。出力部３４は第七ラインバッファーに記録されているライン単位のデータを、左右反転させた状態で、バスＢを経由せずに（バスＢではない専用の伝送路を経由して）表示部４０に出力する。左右反転させたデータを表示部４０に出力することにより、従来のサイドミラーと同様に鏡像を表示部４０において表示させることができる。なお出力部３４から表示部４０に出力されるデータが表示用信号に相当する。
【００３０】
１−４．表示部：
表示部４０は、液晶パネルドライバー４１と液晶パネル４２を備えている。液晶パネルドライバー４１は、出力部３４から取得した表示用信号に基づいて、各サブピクセルに電圧を印加して液晶を駆動するための信号を液晶パネル４２に対して出力する。液晶パネル４２は、図示しないゲートドライバーおよびソースドライバーを備えており、液晶パネルドライバー４１から出力される信号に応じてゲートドライバーが各ラインの各画素における表示タイミングを制御し、ソースドライバーが表示タイミングとされているラインの各画素に対して各画素の画像データに対応した電圧を印加することによって表示を行う。なお、表示部４０は液晶パネルに限定されず、ＯＬＥＤ（Organic Light Emitting Diode）などの他の形式の表示パネルを採用してもよい。
【００３１】
本実施形態の撮像部１０、映像信号処理部２０、表示制御部３０および表示部４０においては、撮像から表示用信号の生成までを線順次にパイプライン処理される。アラート画像重畳部３３が液晶パネル４２の垂直方向のＮライン目（Ｎは自然数）の画像データを第七ラインバッファーに出力し終えたタイミングに同期して、Ｎライン目の表示を行うように構成されている。具体的にはデジタルミラーユニットＤＭが備える図示しないタイミングジェネレーターは、アラート画像重畳部３３から当該アラート画像重畳部３３におけるデータの生成が終了したラインを示す進捗情報を取得する。当該進捗情報によれば、液晶パネル４２における表示が可能になったラインを特定することが可能である。タイミングジェネレーターが各ラインのデータの生成が終了したタイミングに同期して水平同期信号を出力することにより、液晶パネル４２において当該データの生成が終了したラインの表示が開始される。このように各ラインの表示タイミングが制御されていることにより、表示用のデータの準備が整う前に各ラインの表示を開始することはなく、各ラインの表示準備が整うと即座に各ラインの表示をすることが可能になる。本実施形態においてはこのようにして、撮像部１０による撮像から表示部４０による表示までに要する時間（表示遅延）の短期化を実現している。
【００３２】
１−５．中央信号処理部：
中央信号処理部Ｃ１０は、左右の撮像表示部からそれぞれ受信した第二デジタル映像信号が示す画像を解析し、アラート対象の事象を第二デジタル映像信号から検出した場合に、液晶パネル４２において重畳表示させるアラート画像を生成して撮像表示部に送信する機能を実現する。また中央信号処理部Ｃ１０は、左右の撮像表示部からそれぞれ受信した第二デジタル映像信号に基づいて、運転支援に関連する関連信号を生成し、図示しない運転支援制御部に対して出力する機能を実現する。これらの機能を実現するため、中央信号処理部Ｃ１０は、通信部Ｃ１１、取得部Ｃ１２、解析部Ｃ１３（アラート画像生成部Ｃ１３１、関連信号生成部Ｃ１３２を含む）、出力部Ｃ１４を備えている。
【００３３】
通信部Ｃ１１はバスＢを経由して他の電子部品と通信するためのインターフェース回路を備えている。取得部Ｃ１２は、通信部Ｃ１１が左撮像表示部Ｌから受信したデータから第二デジタル映像信号を取得し図示しないフレームバッファーに一時記録する。また取得部Ｃ１２は、通信部Ｃ１１が右撮像表示部Ｒから受信したデータから第二デジタル映像信号を取得し図示しないフレームバッファーに一時記録する。
【００３４】
解析部Ｃ１３は、取得部Ｃ１２が取得しフレームバッファーに一時記録されている第二デジタル映像信号が示す画像を解析し、アラート対象の事象が検出されたか否かを判定する。また、解析部Ｃ１３は、取得部Ｃ１２が取得しフレームバッファーに一時記録されている第二デジタル映像信号が示す画像を解析し、アラート対象の事象が検出されたか否かを判定する。例えば、アラート対象のオブジェクトの特徴が予め定義されており、画像処理によって当該特徴を検出するための処理が行われ、当該特徴に適合するオブジェクトが検出されると、解析部Ｃ１３はアラート対象の事象が検出されたと判定する。解析部Ｃ１３は例えば１フレーム分の画像（第二デジタル映像信号）の取得周期に同期してアラート対象の事象が検出されたか否かの判定を行う。アラート対象の事象が検出されなかった場合、解析部Ｃ１３は、アラートフラグをオフに設定し、出力部Ｃ１４に、左撮像表示部Ｌまたは右撮像表示部Ｒに対してアラートフラグを送信させる。出力部Ｃ１４はバスＢを介した通信に適した形式に送信対象のデータを変換して通信部Ｃ１１に出力する。通信部Ｃ１１はバスＢの通信プロトコルに従ってアラートフラグを示すデータを、バスＢを経由して左または右の撮像表示部に送信する。
【００３５】
アラート対象の事象が検出された場合、解析部Ｃ１３はアラートフラグをオンに設定する。また、アラート画像生成部Ｃ１３１がアラート画像を生成する。具体的には例えば、連続する複数フレーム分の画像に基づいて自動車ＡＭ１の右側後方から接近中の他車両（アラート対象車両ＡＭ２）が検出された場合、アラート画像生成部Ｃ１３１は、例えば「後方注意！」等の文字列を示すアラート画像を生成する。表示部４０においては撮像部１０が撮像した画像を左右反転させて表示するため、アラート画像生成部Ｃ１３１は、表示部４０に表示された場合に文字が正しく表示されるように当該文字列の左右反転した状態の画像をアラート画像として生成し、出力部Ｃ１４に出力する。出力部Ｃ１４はオンに設定されたアラートフラグとアラート画像とを通信部Ｃ１１に出力し、右撮像表示部Ｒに送信させる。なお、解析部Ｃ１３はアラートフラグをオンするとともに、図示しない車内のスピーカーから警告音を発生させてもよい。この際、アラート対象の事象が左後方で検出された場合と右後方で検出された場合とで音の種類などを変更させる事で、運転者が左右を識別できるようにしてもよい。また、警告音の代わりに音声（言葉）がスピーカーから出力されてもよい。このようにすることにより、音と表示の両方で運転者にアラートを伝達することがきるので、乗用装置の利便性や安全性をより向上させることができる。
【００３６】
また、解析部Ｃ１３は、運転支援制御に必要となる情報を画像から取得する機能を有する。例えば解析部Ｃ１３は、画像内のオブジェクトと自動車ＡＭ１との画像内における距離を算出し、画像内における距離に対応する実世界での距離を特定する。当該オブジェクトとしては例えば、車線の境界を規定する路面上の線、路面上の停止線、他の車両、歩行者、施設等を想定してよい。関連信号生成部Ｃ１３２では、当該オブジェクトと自動車ＡＭ１との実世界での距離を示す関連信号を生成し、出力部Ｃ１４、通信部Ｃ１１を介して図示しない運転支援制御部に送信する。運転支援制御部では、受信した関連情報に基づいて支援内容を決定し、支援内容に応じて自動車ＡＭ１の走行を制御することができる。
【００３７】
なお本実施形態では、運転支援として走行車線維持機能を実現するために、走行車線の延びる方向と直交する方向における自動車ＡＭ１の位置を、第二デジタル映像信号を解析して導出する。解析部Ｃ１３は、走行車線の左端を示す路面上の線から自動車ＡＭ１の車体の左端までの実世界での距離である第一距離と、走行車線の右端を示す路面上の線から自動車ＡＭ１の車体の右端までの実世界での距離である第二距離と、を第二映像信号が示す画像に基づいて特定する。関連信号生成部Ｃ１３２は、第一距離と第二距離とを含む関連信号を生成し出力部Ｃ１４および通信部Ｃ１１を介して図示しない運転支援制御部に送信する。運転支援制御部は、当該関連信号に基づいて自動車ＡＭ１が走行車線を逸脱しないようにステアリングの角度を制御する。
【００３８】
１−６．撮像部の配置およびデジタルミラーユニットの配置：
図２は、撮像部１０の配置とその撮像範囲を示している。図２に示すように、撮像表示システム１を搭載する自動車ＡＭ１において、左撮像表示部Ｌの撮像部１０は、自動車ＡＭ１の左側後方を撮像範囲として少なくとも含む位置であって左側Ａピラー近傍の車外に設けられている。また、右撮像表示部Ｒの撮像部１０は、自動車ＡＭ１の右側後方を撮像範囲として少なくとも含む位置であって右側Ａピラー近傍の車外に設けられている。画角ａ２は第二デジタル映像信号が示す像の範囲を示している。画角ａ１は第一デジタル映像信号が示す像の範囲を示している。図３は、左撮像表示部Ｌにおける１フレーム分の第二デジタル映像信号が示す画像ｉ２と１フレーム分の第一デジタル映像信号が示す画像ｉ１を示している。すなわち、左撮像表示部Ｌのトリミング処理部２７では画像ｉ２に対して画像ｉ１がトリミングされる。このように中央信号処理部Ｃ１０には、表示部４０に表示される範囲よりも広い範囲の画像に対して画像解析処理を行うことができる。したがって例えば、液晶パネル４２の撮像範囲にはまだ含まれない範囲におけるアラート事象を早い段階で検出し、運転者にアラートすること等も可能である。
【００３９】
なお、中央信号処理部Ｃ１０は、画像ｉ１の大きさや形状、画像ｉ２に対する位置を示す表示対象領域情報を予め取得している。例えば、撮像表示システム１が搭載される車種に合わせて予め設計および設定されている表示対象領域情報を中央信号処理部Ｃ１０は中央信号処理部Ｃ１０起動時に取得する。また、運転者が画像ｉ１の画像ｉ２に対する範囲を調整可能であってもよい。例えば運転席側のドアやインストルメントパネル等に設けられた図示しない４方向ボタンやスティックを操作することによって調整することができてもよい。また、自動車出荷時の調整工程にて左右の画角を調整するための調整部が設けられていてもよい。
【００４０】
図４は、自動車ＡＭ１の車内側から見たフロントウィンドウＦＷ周辺を示す模式図である。左撮像表示部Ｌの映像信号処理部２０と表示制御部３０と表示部４０とはデジタルミラーユニットＤＭとして一体に構成され、図４に示すように、自動車ＡＭ１の左側のＡピラーＡＰに設けられている。また、右撮像表示部Ｒの映像信号処理部２０と表示制御部３０と表示部４０とはデジタルミラーユニットＤＭとして一体に構成され、図４に示すように自動車ＡＭ１の右側のＡピラーＡＰに設けられている。メイン表示部Ｃ２０は、インストルメントパネル中央に設けられている。中央信号処理部Ｃ１０は、メイン表示部Ｃ２０の近傍であってダッシュボード内部に設けられている。中央信号処理部Ｃ１０と、デジタルミラーユニットＤＭが備える映像信号処理部２０とは、バスＢを構成するケーブルで接続されている。映像信号処理部２０と表示制御部３０と表示部４０とはデジタルミラーユニットＤＭとして一体に構成されているため、映像信号処理部２０と表示制御部３０と表示部４０の各部は互いに近くに配置されている。すなわち、当該各部間の距離は、当該各部と中央信号処理部Ｃ１０との距離よりも短い。このため、映像信号処理部２０と表示制御部３０と表示部４０の各部間においては伝送路の長さによる伝送遅延を生じにくい構成である。運転者は運転席に着座した状態で左撮像表示部Ｌの液晶パネル４２と右撮像表示部Ｒの液晶パネル４２とメイン表示部Ｃ２０の表示パネルとを視認することができる。
【００４１】
１−７：撮像表示システムの動作：
次に、図５〜図７を用いて撮像表示システム１における各部の処理の流れを説明する。図５は映像信号処理部２０による映像信号処理を示すフローチャートである。図５に示す処理は、左撮像表示部Ｌと右撮像表示部Ｒにおいてそれぞれ繰り返し実行される。
【００４２】
映像信号処理部２０は、撮像部１０から映像信号を取得し（ステップＳ１００）、映像信号に基づいて第二デジタル映像信号を生成して中央信号処理部Ｃ１０に送信する（ステップＳ１０５）。具体的には、映像信号処理部２０は、上述したように、画素補間部２１、色再現処理部２２、フィルター処理部２３、ガンマ補正部２４、歪曲収差補正部２５、トリミング処理部２７の各工程をパイプライン処理にて実施する。映像信号処理部２０は、歪曲収差補正部２５の処理後であってトリミング処理部２７の処理前のデータを第二デジタル映像信号として中央信号処理部Ｃ１０にバスＢを介して出力する。続いて映像信号処理部２０は、映像信号に基づいて第一デジタル映像信号を生成して表示制御部３０に出力する（ステップＳ１１０）。具体的には、映像信号処理部２０は、トリミング処理部２７による処理後のデータを第一デジタル映像信号として表示制御部３０に出力する。
【００４３】
図６は、中央信号処理部Ｃ１０による中央信号処理を示すフローチャートである。図６に示す処理は、繰り返し実行される。取得部Ｃ１２は、通信部Ｃ１１が左撮像表示部Ｌの映像信号処理部２０から１フレーム分の第二デジタル映像信号を含むデータを受信したか否かを判定し（ステップＳ２００）、Ｎ判定の場合はステップＳ２４０に進む。ステップＳ２００においてＹ判定の場合、解析部Ｃ１３が受信したデータに含まれる第二デジタル映像信号が示す画像を解析する（ステップＳ２０５）。例えば解析部Ｃ１３は、左撮像表示部Ｌから取得した連続する１以上のフレームの画像においてアラート対象の事象が含まれるか否かを解析する。解析の結果、アラートの必要があると判定された場合（ステップＳ２１０）、解析部Ｃ１３はアラートフラグをオンに設定し（ステップＳ２１５）、アラート画像生成部Ｃ１３１は、アラート画像を生成する（ステップＳ２２０）。出力部Ｃ１４および通信部Ｃ１１は、アラートフラグとアラート画像を左撮像表示部Ｌの表示制御部３０へ送信する（ステップＳ２２５）。
【００４４】
アラート画像は、本実施形態においては液晶パネル４２の画素数と同じ画素数の画像として生成される。そしてアラート画像に、例えば上述した「後方注意！」のような文字や記号を含む矩形画像が含まれている。アラート画像において当該矩形画像を構成する画素以外は第一デジタル映像信号が示す画素値を表示することを示す値が設定されている。第二デジタル映像信号が示す画像の明るさ等に応じて、当該画像に対して上述の矩形画像が識別可能に表示されるように当該矩形画像を構成する画素の色を変化させても良い。例えば矩形画像を重畳表示する予定の領域周辺の画像の明度の中央値が閾値より暗い場合は、予め決められた基準よりも明るい色を矩形画像の色として採用し、当該中央値が閾値以上に明るい画像の場合は、予め決められた基準より暗い色を採用してもよい。なお、アラート画像の画素数と液晶パネル４２の画素数が異なっていてもよい。その場合、アラート画像重畳部３３においてアラート画像の画素数を液晶パネル４２の画素数に変換してから重畳を行う。
【００４５】
また、アラート画像生成部Ｃ１３１は、「後方注意！」等の文字や記号を含む矩形画像を、液晶パネル４２の画面における予め固定的な位置に重畳表示するように、アラート画像内に矩形画像を配置してもよいし、第一デジタル映像信号が示す画像の内容に応じて矩形画像の重畳表示位置を変動させる構成であってもよい。後者の例としては例えば、アラート対象車両ＡＭ２の像の近傍に配置するようにしてもよい。
【００４６】
ステップＳ２１０においてアラートの必要がないと判定された場合、解析部Ｃ１３はアラートフラグをオフに設定し（ステップＳ２３０）、出力部Ｃ１４および通信部Ｃ１１は、アラートフラグを左撮像表示部Ｌの表示制御部３０へ送信する（ステップＳ２３５）。ステップＳ２００〜Ｓ２３５の処理Ｓ２Ｌは、左撮像表示部Ｌに対応する処理である。ステップＳ２４０〜Ｓ２７５の処理Ｓ２Ｒは、右撮像表示部Ｒに対応する処理である。処理Ｓ２Ｒでは処理Ｓ２Ｌと同様の処理が行われる。なお例えば中央信号処理部Ｃ１０の処理能力が十分高く、リアルタイムでマルチタスクを実現することが可能であったり、中央信号処理部Ｃ１０が複数の解析部Ｃ１３を備えている場合、Ｓ２０５〜Ｓ２２０およびＳ２３０と、Ｓ２４５〜Ｓ２６０およびＳ２７０とは、並行して実施されてもよい。並行して実施することにより、左右のアラート検出の時間差が少なくなり、好適である。
【００４７】
続いて解析部Ｃ１３は、車線維持機能がオンであるか否かを判定し（ステップＳ２８０）、車線維持機能がオンであると判定された場合、関連信号生成部Ｃ１３２は関連信号を生成し（ステップＳ２９０）、出力部Ｃ１４および通信部Ｃ１１は図示しない運転支援制御部にバスＢを介して関連信号を送信する（ステップＳ２９５）。ステップＳ２８０においてＮ判定の場合、図６に示す処理を終了する。
【００４８】
ステップＳ２８５では解析部Ｃ１３は例えば、走行車線を規定する右側の線（路面上の線）から車体の右端までの距離と、走行車線を規定する左側の線から車体の左端までの距離を導出し、関連信号として運転支援制御部に出力する。運転支援制御部は、これらの距離に基づいて車線維持機能を実現することができる。
【００４９】
図７は、表示制御部３０による表示制御処理を示すフローチャートである。左撮像表示部Ｌにおいても右撮像表示部Ｒにおいても図７に示す処理が繰り返し行われる。図７に示す処理ではまず、取得部３２は通信部５０を介して中央信号処理部Ｃ１０からアラートフラグ（および、アラートが必要な場合はアラート画像）を受信したか否かを判定する（ステップＳ３００）。アラートフラグ（およびアラート画像）は、中央信号処理部Ｃ１０が１フレーム分の画像を解析する毎に送信される。受信したアラート画像はフレームバッファーに一時記録される。
【００５０】
ステップＳ３００においてアラートフラグ（およびアラート画像）を受信したと判定された場合、アラート画像重畳部３３は、受信したアラートフラグがオンに設定されているか否かを判定する（ステップＳ３０５）。ステップＳ３０５においてアラートフラグがオンに設定されていると判定された場合は、アラート画像重畳部３３はアラート状態をオンに設定する（ステップＳ３１０）。ステップＳ３０５においてアラートフラグがオンに設定されていると判定されない場合（すなわちオフに設定されている場合）は、アラート画像重畳部３３はアラート状態をオフに設定する（ステップＳ３１５）。
【００５１】
ステップＳ３００においてＮ判定の場合、または、ステップＳ３００においてＹ判定の場合であってステップＳ３１０またはＳ３１５を実行後、リサイズ処理部３１は映像信号処理部２０から第一デジタル映像信号を取得したか否かを判定する（ステップＳ３２０）。すなわちステップＳ３２０ではリサイズ後の１ラインを生成するために必要なラインのデータを取得済みであるか否かが判定される。ステップＳ３２０においてＮ判定の場合は、Ｙ判定になるまで待機し、Ｙ判定となった場合に、リサイズ処理部３１は第一デジタル映像信号に基づいてリサイズ処理を行う（ステップＳ３２５）。
【００５２】
続いてアラート画像重畳部３３は、アラート状態はオンであるか否かを判定する（ステップＳ３３０）。ステップＳ３３０においてアラート状態がオンであると判定された場合、アラート画像重畳部３３はリサイズ後の１ライン分のデータにアラート画像の該当ラインのデータを重畳する（ステップＳ３３５）。出力部３４はアラート画像重畳後のデータを左右反転した状態の１ライン分の表示用信号を生成し表示部４０に出力する（ステップＳ３４０）。この結果、例えば図８に示すように液晶パネル４２にアラート画像ＡＬ１を重畳表示することができる。ステップＳ３３０においてアラート状態がオンであると判定されない場合、出力部３４は、リサイズ後の１ライン分のデータを左右反転した状態の表示用信号を生成し表示部４０に出力する（ステップＳ３４５）。
【００５３】
以上のように、撮像表示システム１においては、撮像部１０で撮像された画像を解析し第三デジタル映像信号（アラート画像）を生成する処理は、中央信号処理部Ｃ１０が担当する。左撮像表示部Ｌおよび右撮像表示部Ｒにおいては、撮像部１０にて撮像された車外の像を短い表示遅延にてそれぞれの表示部４０に表示させる処理を担当する。左右の撮像表示部は、中央信号処理部Ｃ１０が担当する第三デジタル映像信号生成処理を行わない。そのため映像信号処理部２０および表示制御部３０は、画像認識処理等の高負荷な処理の影響で表示遅延が長期化してしまうことなく、撮像から表示までの短い表示遅延にて実施可能である。
【００５４】
また、左右の撮像表示部はそれぞれ、アラート画像を中央信号処理部Ｃ１０から受信し、表示用信号にアラート画像を重畳表示することができる。なお、アラート画像重畳部３３によって重畳されるアラート画像は、表示部４０に表示しようとするフレームより過去に撮像されたフレームの画像に基づいて生成された画像である。すなわち、第二デジタル映像信号の伝送時間、中央信号処理部Ｃ１０における処理時間、第三デジタル映像信号の伝送時間を含む分、アラート画像の表示には遅延が生じうる。アラート画像の表示に至るまでには遅延が生じうるが、撮像表示システム１においては、左右の撮像部１０による撮像から表示部４０での表示までに要する表示遅延を長期化することのないデジタルミラーを実現できる。
【００５５】
２．他の実施形態：
尚、本発明の技術的範囲は、上述した実施形態に限定されるものではなく、本発明の要旨を逸脱しない範囲内において種々変更を加え得ることは勿論である。例えば、乗用装置は人が乗り込んで運転・操縦する装置であればよく、例えば、自動車・二輪車・鉄道車両等の車両、船舶、航空機等を想定してよい。また、乗用装置内伝送路は、乗用装置に搭載された電子部品間で通信するための伝送路であればよく、有線であってもよいし、無線であってもよい。また、撮像表示システムに含まれる一部の要素は、乗用装置に搭載されていなくてもよい（遠隔地に設けられていても良い）。また、乗用装置内伝送路は、上記実施形態のように複数の電子部品が接続して様々な信号の通信が行われるバスであってもよいし、２つの電子部品が１対１で接続される専用の伝送路であってもよい。
【００５６】
映像信号処理部２０における各工程は、上記実施形態のようにラインバッファーを用いたパイプライン処理にて実施されてもよいが、フレームバッファーを用いて１フレーム分のデータを蓄積してから各工程が実施されてもよい。また、映像信号処理部２０において実施される処理の内容や順序は、上記実施形態に限定されない。いずれかの工程が省略されてもよいし、他の工程が追加されてもよい。例えば、歪曲収差補正部２５は省略されてもよい。また例えば、トリミング処理部２７によるトリミング後の水平方向および垂直方向の画素数が、液晶パネル４２の水平方向および垂直方向の画素数と同一または略同一であれば、リサイズ処理部３１は省略されてもよい。また例えば、下記の第一処理と第二処理のうちの少なくとも一方を行う処理部が追加されてもよい。第一処理は、映像信号に基づく画像の左右方向において車体に近い領域を車体から遠い領域と比較して相対的に拡大する処理である。第二処理は、映像信号に基づく画像の上下方向において中央の領域を当該中央の領域より上又は下の領域と比較して相対的に拡大する処理である。
【００５７】
第一デジタル映像信号と第二デジタル映像信号は同一であってもよい。すなわち、第一デジタル映像信号が示す像の範囲と第二デジタル映像信号が示す像の範囲が同じという意味で同一であってもよい。あるいは、映像信号処理部から表示制御部への第一デジタル映像信号の送信も乗用装置内伝送路を経由して通信する場合は、像の範囲が同じことに加えて、送出されるデータの形式も同じという意味で同一であってもよい。
【００５８】
第一デジタル映像信号が示す像の範囲と第二デジタル映像信号が示す像の範囲とは、上記実施形態のように一部が異なっていてもよいし、あるいは全て異なっていても良いし、全て同一であってもよい。また、撮像部が撮像した像に対して、表示部に表示される範囲や、中央信号処理部に処理させる範囲を、可変に設定することができてもよい。
【００５９】
映像信号処理部は、映像信号を撮像部から乗用装置内伝送路を経由して受信する構成であってもよい。また、表示制御部は、デジタル映像信号を映像信号処理部から乗用装置内伝送路を経由して受信する構成であってもよい。また、表示部は、表示用信号を表示制御部から乗用装置内伝送路を経由して受信する構成であってもよい。
【００６０】
また、中央信号処理部は、映像信号処理部から受信したデジタル映像信号に関連する第三デジタル映像信号を生成して乗用装置内伝送路経由で表示制御部に出力し、表示制御部は、映像信号処理部から受信したデジタル映像信号と第三デジタル映像信号とに基づいて表示用信号を生成し表示部に出力する構成であればよく種々の構成を採用可能である。例えば、表示制御部は、表示部の表示領域内の第一領域に映像信号処理部から受信したデジタル映像信号が示す画像を表示し、当該表示領域内の第一領域とは異なる第二領域に中央信号処理部から受信した第三デジタル映像信号が示す画像を表示するように表示用信号を生成してもよい。
【００６１】
表示制御部は、映像信号処理部から受信したデジタル映像信号に中央信号処理部から受信した第三デジタル映像信号を重畳して表示用信号を生成することができればよく、種々の構成を採用可能である。上記実施形態のように文字や記号を示すアラート画像を重畳する以外にも、例えば第二デジタル映像信号に含まれるアラート対象車両を囲む枠をアラート画像として重畳してもよい。例えば、中央信号処理部は、アラート対象車両ＡＭ２の自動車ＡＭ１を基準とした移動ベクトルの大きさや向き、撮像表示部と中央信号処理部Ｃ１０との間の伝送時間や中央信号処理部Ｃ１０の処理時間等に基づいて、枠を重畳表示しようとするフレームにおけるアラート対象車両ＡＭ２の画像内での位置を推定し、当該位置を含む位置および大きさの枠をアラート画像として生成するようにしてもよい。当該枠を指定の位置に指定の大きさで重畳表示できる限りにおいて、アラート画像はどのような形式であってもよい。アラート画像はビットマップ形式のデータであってもよいし、ベクトル形式のデータであってもよい。なお、アラート画像は液晶パネル４２の画素数と同じ画素数の画像である構成に限定されない。アラート画像は、例えば「後方注意！」のような文字列を含む矩形画像や、上述の枠を示す画像の部分のみを指していても良い。その場合、アラート画像の重畳表示位置を示す情報は、アラート画像と合わせてアラート画像生成部Ｃ１３１から送信されてよい。
【００６２】
また例えば、画像ｉ１には含まれないが画像ｉ２にアラート対象車両が含まれる場合、中央信号処理部は、アラート対象車両の画像をトリミングした画像を含むアラート画像を生成し、撮像表示部の表示制御部に送信してもよい。
【００６３】
なお、表示制御部は予めメモリにアラート画像を保持しておき、中央信号処理部からアラート画像の表示を指示された場合に、メモリに保持されているアラート画像を映像信号処理部から受信したデジタル映像信号に重畳して表示する構成であってもよい。
【００６４】
また、撮像表示システムが少なくとも撮像部と映像信号処理部とを有する撮像装置部を複数備えている場合に、中央信号処理部は、複数の撮像装置部の映像信号処理部からそれぞれ出力されたデジタル映像信号を乗用装置内伝送路経由で受信し、受信した複数のデジタル映像信号に関連する関連信号を生成し、関連信号を乗用装置内伝送路経由で出力する構成であってもよい。例えば、上記実施形態のように車線維持機能に関連する情報を関連信号として出力する構成であってもよいし、アラウンドビュー画像（トップビュー画像）を生成し当該画像を関連信号として例えばメイン表示部Ｃ２０に出力する構成であってもよい。アラウンドビュー画像を生成するために、撮像表示システム１は、自動車ＡＭ１の左側や自動車ＡＭ１の右側を撮像する撮像部の他にも、自動車ＡＭ１の周囲を死角なく撮像するための複数の撮像部（例えば自動車ＡＭ１の前方や自動車ＡＭ１の後方を撮像する撮像部）を備えていても良い。
【００６５】
なお、自動車ＡＭ１の後方を撮像する撮像部に対応するデジタルミラーユニット（映像信号処理部、表示制御部、表示部）がさらに備えられていてもよい。自動車ＡＭ１の後方を撮像する撮像部に対応するデジタルミラーユニットは、フロントウィンドウＦＷの中央上部や中央下部に従来のバックミラーに代わって配置されてもよい。自動車ＡＭ１の前方を撮像する撮像部を含む撮像表示部は、当該撮像部に対応する映像信号処理部を備えていればよく、自動車ＡＭ１の前方を表示するための専用の表示制御部や表示部は備えていなくてもよい。
【００６６】
なお、中央信号処理部によって生成された関連信号は、第二デジタル映像信号や第三デジタル映像信号の送受信に用いた乗用装置内伝送路を経由せずに出力される構成であってもよい。例えば、中央信号処理部によって生成された関連信号は、第二デジタル映像信号や第三デジタル映像信号の送受信に用いたバスとは別のバスを介して他の電子部品に出力されてもよいし、中央信号処理部と１対１で接続する他の電子部品に対して専用の伝送路を介して出力されてもよい。例えば図１に示すように中央信号処理部Ｃ１０とメイン表示部Ｃ２０とは専用の伝送路で接続されていてもよい。
【００６７】
また請求項に記載された各部の機能は、構成自体で機能が特定されるハードウェア資源、プログラムにより機能が特定されるハードウェア資源、又はそれらの組み合わせにより実現される。また、これら各部の機能は、各々が物理的に互いに独立したハードウェア資源で実現されるものに限定されない。
【符号の説明】
【００６８】
１…撮像表示システム、１０…撮像部、１１…光学系、１２…センサー、２０…映像信号処理部、２１…画素補間部、２２…色再現処理部、２３…フィルター処理部、２４…ガンマ補正部、２５…歪曲収差補正部、２６…出力部、２７…トリミング処理部、３０…表示制御部、３１…リサイズ処理部、３２…取得部、３３…アラート画像重畳部、３４…出力部、４０…表示部、４１…液晶パネルドライバー、４２…液晶パネル、５０…通信部、ＡＬ１…アラート画像、Ｂ…バス、Ｃ１０…中央信号処理部、Ｃ１１…通信部、Ｃ１２…取得部、Ｃ１３…解析部、Ｃ１３１…アラート画像生成部、Ｃ１３２…関連信号生成部、Ｃ１４…出力部、ＤＭ…デジタルミラーユニット、Ｌ…左撮像表示部、Ｒ…右撮像表示部
【図１】
2018129602.tif 000003
【図２】
2018129602.tif 000004
【図３】
2018129602.tif 000005
【図４】
2018129602.tif 000006
【図５】
2018129602.tif 000007
【図６】
2018129602.tif 000008
【図７】
2018129602.tif 000009
【図８】
2018129602.tif 000010